(57)【要約】      （修正有）【課題】包装フィルムの引き裂き性を向上させるとともに、被包装物を取り出しやすくすることを目的とした包装フィルム開封つまみを提供する。【解決手段】包装フィルム３を引き裂く際に、徐々に幅が大きく広がりながら裂けていく、広角部の形状を設けた包装フィルム開封つまみ１を、包装フィルム３の一部に重ね合わせ接着させた。【選択図】図１
2007302340.tif 000002
【特許請求の範囲】
【発明の詳細な説明】
【技術分野】
【０００１】  本発明は、例えばビデオテープケースやＣＤケースなどの被包装物の包装開封方法に関するもので、具体的には、包装フィルムを容易に開封し、被包装物を取り出しやすくする包装フィルム開封つまみ及び引き裂きを案内する包装フィルムの切り込みに関するものである。
【背景技術】
【０００２】  従来、被包装物は熱収縮性の包装フィルムで包装され、包装フィルム開封は、図７及び図８で示すように、幅の狭いテープ状の開封線を、包装フィルムの内側に重ね合わせ接着させて、その開封線の幅だけ引き裂くようしたものなどがある。
【発明の開示】
【発明が解決しようとする課題】
【０００３】  従来の包装フィルムは幅の狭いテープ状の開封線を、包装フィルムの内側に被包装物の外周を一回りするように重ね合わせ、粘着材や熱加工により接着させるものであり、技術的にも手間がかかり材料等コストもかかるものであった。【０００４】  また、包装フィルムをテープ状開封線の幅で一直線に引き破ることが出来るが、被包装物となる例えばビデオテープケースやＣＤケースなどの被包装物に、開封線以外の包装フィルムが残ってしまい、包装フィルムを引き裂くことが非常に困難であった。【０００５】  本発明は、このような従来の包装フィルムが有していた問題を解決しようとするものであり、包装フィルムを容易に開封し、被包装物を取り出しやすくすることを目的とするものである。
【課題を解決するための手段】
【０００６】  本発明は、従来の課題を解決するために、包装フィルムの一部に包装フィルム開封つまみを重ね合わせ接着する。【０００７】  包装フィルム開封つまみ形状は、広がり角度を設けた広角部を設ける。【０００８】  さらに、包装フィルムに、引き裂き案内用の切り込みを設けたものである。
【発明の効果】
【０００９】  本発明の包装フィルム開封つまみは、包装フィルムの一部に重ね合わせ接着させるだけでよく、幅の狭いテープ状の開封線を被包装物の外周を一回りするように接着させる必要もなく、技術的に簡単になり、材料等コストも削減になる。【０００１０】  包装フィルム開封時には、包装フィルム開封つまみをつまみ、引き裂いていくことで、包装フィルムが徐々に大きく広がりながら裂けるため、被包装物の包装フィルムの大半を取り除くことができ、被包装物を取り出すのがたいへん容易になる。【００１１】  さらに、包装フィルム開封つまみは、包装フィルムの一部に重ね合わせ接着させるだけなので、被包装物である例えばＣＤジャッケットなどの視覚的な妨げにならず、美的観点からも商品価値を向上させ、より被包装物の販売促進に対し効果的である。
【発明を実施するための最良の形態】
【００１２】  以下、本発明の実施の形態を図１〜図８に基づいて説明する。【００１３】  図１及び図５は包装フィルム開封時の外観斜視図であり、図６の（ａ）〜（ｊ）は包装フィルム開封つまみの形状であり、（ａ）〜（ｄ）は山形、（ｅ）はお椀形、（ｆ）及び（ｇ）は扇形、（ｈ）はハート形、（ｉ）はチューリップ形、（ｊ）はキャラクター形である。【００１４】  まず、図２の（ａ）及び（ｂ）に示すように、包装フィルム３の一部に、重ね合わせ接着した包装フィルム開封つまみ１と一体となった広角部２を設ける。【００１５】  前記包装フィルム開封つまみ１及び２は、包装フィルム３の一部となる外側、内側どちらに重ね合わせ接着してもよい。【００１６】  次に、図２及び図４に示すように、包装フィルム開封つまみ１両側に包装フィルム開封引き裂き案内用切り込み５をが設けられている。
【実施例】
【００１７】  包装フィルム開封の操作は、図２の包装フィルム開封つまみ１をつまみ、引き続けることにより、図１及び図５に示すように、包装フィルム開封つまみ１と一体となっている包装フィルム開封つまみ広角部２の広がり角度に包装フィルム３が連動し、徐々に大きく引き裂かれ、被包装物の包装フィルム３の大半を取り除くことができ、被包装物４を容易に取り出すことができる。【００１８】  また、図２の（ａ）及び（ｂ）に示すように、包装フィルム開封つまみ１の両側に、包装フィルム開封引き裂き案内用切り込み５を入れるが、この切り込み５は包装フィルム開封つまみ１の両側に広がるような角度をつけておく。【００１９】  また、図４に示すように、開封つまみ１及び２は被包装物の形状にかかわらず、包装フィルム３の任意の位置にを設けることができ、引き裂き方向はどの方向でも設定可能である。【００２０】  さらに、包装フィルム開封つまみ１の部分に色を着けることで、透明な包装用フィルム３に対して、包装フィルム開封つまみ１を容易に見分けることができる。【００２１】  図３に示すように、包装フィルム開封つまみ１及び２は一体となって、包装フィルム３の一部に重ね合わせ接着しているだけなので、ＣＤジャッケットなどの被包装物の視覚的な妨げにならないようようにしたり、また逆に包装フィルム開封つまみ１及び２を効果的に利用し、図６の（ａ）〜（ｊ）以外にも植物や動物などの様々な形状にし、色彩を施すことで美的観点からも商品価値を高め、より被包装物の販売促進に対し効果的である。
【図面の簡単な説明】
【００２２】
【図１】  本発明の実施例の実施形態を示す斜視図
【図２】  本発明の実施例の包装フィルム開封つまみ設置例の拡大図
【図３】  本発明の実施例の包装フィルム開封つまみ設置図
【図４】  本発明の実施例の包装フィルム開封つまみ設置図
【図５】  本発明の実施例の実施形態を示す斜視図
【図６】  本発明の包装フィルム開封つまみ形状例を示す（ａ）〜（ｊ）の平面図
【図７】  従来の包装フィルム開封線の斜視図
【図８】  従来の包装フィルム開封線の実施例の実施形態を示す斜視図
【符号の説明】
【００２３】１  包装フィルム開封つまみ
２  包装フィルム開封つまみ広角部
３  包装フィルム
４  被包装物
５  包装フィルム開封引き裂き案内用切り込み
６  従来の包装フィルム開封線
【図１】
2007302340.tif 000003
【図２】
2007302340.tif 000004
【図３】
2007302340.tif 000005
【図４】
2007302340.tif 000006
【図５】
2007302340.tif 000007
【図６】
2007302340.tif 000008
【図７】
2007302340.tif 000009
【図８】
2007302340.tif 000010
【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
包装フィルムにおいて、包装フィルムを開封する際に引き裂かれる幅が徐々に大きく広がる広角部を設けた形状で、包装フィルムの一部に重ね合わせ接着させた包装フィルム開封つまみ。
【請求項２】
包装フィルム開封つまみ両側に、広がりながら裂けやすくなるように開封引き裂き案内用切り込みを設けた包装フィルム。